(57)【要約】【課題】  空気層内の雨水等が横胴縁の上面に滞留することを防止し、この雨水等を速やかに外部に排出可能な壁構造、及び、横胴縁を提供すること。【解決手段】  躯体１０に掛け渡された横胴縁６に外壁材７を固定した建物の壁構造であって、前記横胴縁６の上面６１全域が躯体１０側から外壁材７側に向けて下り勾配で一様に傾斜していることを特徴とする。【選択図】      図１
2007085033.tif 000002
【特許請求の範囲】
【請求項１】
躯体に掛け渡された横胴縁に外壁材を固定した建物の壁構造であって、前記横胴縁の上面全域が躯体側から外壁材側に向けて下り勾配で一様に傾斜していることを特徴とする建物の壁構造。
【請求項２】
躯体に掛け渡され、この躯体に外壁材を固定するための横胴縁であって、この横胴縁の上面全域が当該横胴縁の背面側から正面側に向けて下り勾配で一様に傾斜していることを特徴とする横胴縁。
【発明の詳細な説明】
【技術分野】
【０００１】
本発明は、躯体に掛け渡された横胴縁に外壁材を固定した建物の壁構造、及び、横胴縁に関する。
【背景技術】
【０００２】
一般に、外壁材を、その長手方向を上下方向にして、建物の躯体に取り付ける縦張構造が知られている（例えば、特許文献１参照）。この種の縦張構造では、建物の躯体に横胴縁が釘打ちされ、この横胴縁に対して外壁材が固定されており、これら外壁材と躯体との間に空気層が形成されている。
【特許文献１】特開平０９−１９５３９６号公報
【発明の開示】
【発明が解決しようとする課題】
【０００３】
ところで、この空気層内に雨水が浸入した場合、もしくは、当該空気層内で結露が生じた場合、これら雨水もしくは結露水（以下、雨水等という）は当該空気層内を下方に向かって上記横胴縁の上面まで流れる。
しかし、従来の横胴縁は矩形に形成されていたため、この横胴縁の上面に流れた雨水等が当該横胴縁の上面に長時間滞留することにより、この雨水等が速やかに外部に排出されないといった問題があった。
【０００４】
そこで、本発明は、空気層内の雨水等が横胴縁の上面に滞留することを防止し、この雨水等を速やかに外部に排出可能な壁構造、及び、横胴縁を提供することを目的とする。
【課題を解決するための手段】
【０００５】
上記課題を解決するため、本発明は、躯体に掛け渡された横胴縁に外壁材を固定した建物の壁構造であって、前記横胴縁の上面全域が躯体側から外壁材側に向けて下り勾配で一様に傾斜していることを特徴とする。また、本発明は、躯体に掛け渡され、この躯体に外壁材を固定するための横胴縁であって、この横胴縁の上面全域が当該横胴縁の背面側から正面側に向けて下り勾配で一様に傾斜していることを特徴とする。
【０００６】
また、本発明は、躯体に形成された開口部の上辺部及び下辺部にそれぞれ横胴縁を設け、これら横胴縁に外壁材を固定した開口部の壁構造であって、前記開口部の上辺部に設けられた横胴縁は、この横胴縁の上面全域が躯体側から外壁材側に向けて下り勾配で一様に傾斜していることを特徴とする。
【発明の効果】
【０００７】
本発明によれば、躯体に掛け渡された横胴縁に外壁材を固定し、前記横胴縁の上面全域が躯体側から外壁材側に向けて下り勾配で一様に傾斜しているため、躯体と外壁材との間に雨水等が浸入した場合であっても、この雨水等が横胴縁の傾斜した上面を流れるため、この雨水等が横胴縁の上面に滞留することが防止され、当該雨水等を速やかに外部に排出することができる。
【発明を実施するための最良の形態】
【０００８】
以下、添付図面を参照して本発明の一実施の形態について説明する。図１は、本実施形態にかかる家屋等の建物の壁構造の縦断面であり、図２は、この壁構造の横断面図であり、図３は、この壁構造の斜視図である。
【０００９】
図１において、１は建物の基礎であり、この基礎１の上には土台２が配置される。この土台２の上方には、この土台２に沿って軒桁（不図示）が配置され、これら軒桁及び土台２の間に、柱３及び間柱４が設けられることにより、躯体１０が形成されている。この躯体１０の柱３及び間柱４には、防水シート５を介して、上下方向に所定間隔で複数本の横胴縁６が掛け渡されており、これら横胴縁６に下部外壁材７Ａ及び上部外壁材７Ｂが取り付けられている。ここで、これら下部外壁材７Ａ及び上部外壁材７Ｂを区別する必要がない場合には単に外壁材７と記載する。
【００１０】
この外壁材７は、例えば、縦が約３０３０ｍｍ、横が約４５５ｍｍ、厚さが約１５ｍｍの窯業系の長方形板体からなり、本構成では、外壁材７の長手方向を上下方向として、当該外壁材７を横胴縁６に固定する、いわゆる縦張り構造の外壁（壁構造）５０が構成されている。この外壁５０において、外壁材７は、横胴縁６で躯体１０に取り付けられているため、この躯体１０と外壁材７との間には、所定の間隙Ｐを有する空気層３１が形成されている。この空気層３１は、例えば、土台２に形成された通気口（不図示）と、建物の軒天に形成された通気口（不図示）とに接続され、これら各通気口を通じて、当該空気層３１に外気を導入可能に構成されている。
【００１１】
外壁材７は、この外壁材７の長辺側となる左右両端に合じゃくり加工が施されている。具体的には、図２に示すように、外壁材７は、この外壁材７の左右両端の一方に形成される表合じゃくり面７１と、当該左右両端の他方に形成される裏合じゃくり面７２とを備える。これら表合じゃくり面７１と裏合じゃくり面７２とは、互いに係合するように形成されており、これら表合じゃくり面７１と裏合じゃくり面７２とを留付部材８で留め付けることによって、左右に隣接する外壁材７同士を接合している。
【００１２】
この留付部材８は、図３に示すように、外壁材７の長手方向に渡って複数配置され、それぞれ横胴縁６に取り付けられる。また、留付部材８は、図２に示すように、横胴縁６に固定されているベース部材８Ａと、上記表合じゃくり面７１及び裏合じゃくり面７２を係止する係止片８Ｂとを備える。本構成では、ベース部材８Ａによって、横胴縁６と外壁材７との間に所定の間隔Ｑ（例えば５ｍｍ）の隙間３２が設けられている。この隙間３２は、後述するように、空気層３１内に浸入した雨水等が流れる通路として機能する。また、本構成では、柱３と間柱４との間に断熱材１５がそれぞれ配置されており、外壁５０は充填断熱構造となっている。
【００１３】
下部外壁材７Ａの下端は支持部材１１によって支持されており、この支持部材１１は、左右に隣接する外壁材７の接合部に配置されている。支持部材１１は、図１に示すように、横胴縁６を介して土台２に釘で固定されている基板部１１Ａと、この基板部１１Ａの下端に連なり外壁材７の下端を支持する支持板部１１Ｂとを備える。この支持板部１１Ｂは、上記基板部１１Ａの下端から斜め下方に延出したのち先端を上方に向けて屈曲させて形成されている。
【００１４】
また、この支持部材１１の下方には土台水切１３が配置されている。この土台水切１３は、図１に示すように、土台２に釘で固定される基板部１３Ａと、この基板部１３Ａの下端から斜め下方に延出する水切板部１３Ｂと、この水切板部１３Ｂの先端から下方に屈曲した前板部１３Ｃとを備える。また、下部外壁材７Ａと上部外壁材７Ｂとの間には、図１に示すように、中間水切１４が配置されており、この中間水切１４は、横胴縁６に釘で固定される基板部１４Ａと、この基板部１４Ａの下端から斜め下方に延出する水切板部１４Ｂと、この水切板部１４Ｂの先端から下方に屈曲した前板部１４Ｃとを備えている。この中間水切１４は、上部外壁材７Ｂの表面を流れ落ちてきた雨水が空気層３１に浸入しないようになっている。
【００１５】
本実施形態では、外壁材７を固定するための横胴縁６の形状に特徴を有する。この横胴縁６は、図４Ａ及び図４Ｂに示すように、長さがＬ（例えば１８２０ｍｍ）、厚さがＤ（例えば１８ｍｍ）の木製の板体であり、この横胴縁６の上面６１の全域が、当該横胴縁６の背面部６３側から正面部６２側に向けて下り勾配で一様に傾斜するように形成されている。この場合、横胴縁６は、躯体１０（図１）に対向する面を横胴縁６の背面、外壁材７（図１）に対向する面を横胴縁６の正面とする。
【００１６】
本構成では、横胴縁６の上面６１は、この上面６１の傾斜角αが約１５度から約６０度の範囲となるように形成されている。この場合、傾斜角αを約１５度より大きくすると、横胴縁６の上面６１に雨水等が滞留することが防止され、この雨水等を速やかに外壁５０の外部に排出可能となることが実験等により判明している。
【００１７】
一方、この傾斜角αを大きくすればするほど、横胴縁６の上面６１への雨水等の滞留を防止できる。しかし、傾斜角αを所定角よりも大きくすると、横胴縁６の上端部６４（図４Ｂ）が鋭利となり、この上端部６４の強度が低下する。このため、本構成では、傾斜角αを約１５度から約６０度の範囲とすることにより、横胴縁６の上端部６４の強度低下を防止するとともに、横胴縁６の上面６１に雨水等が滞留することを防止し、この雨水等を速やかに外部に排出可能としている。
【００１８】
また、横胴縁６は、この横胴縁６の正面部６２に留付部材８等を取り付けるべく、この正面部６２の高さＴを従来の横胴縁の高さとほぼ同一に設定している。すなわち、横胴縁６は、この横胴縁６の正面部６２に留付部材８等を取り付け可能な高さを確保し、この正面部６２の上縁から傾斜面が開始する構成となっている。また、本実施形態では、横胴縁６は、正面部６２の高さＴの異なる２種類の横胴縁６Ａ、６Ｂが形成されており、大きい高さＴ（例えば約９０ｍｍ）を有する横胴縁６Ａは、図３に示すように、外壁材７の上端及び下端の近傍に配置され、小さい高さＴ（例えば約４５ｍｍ）を有する横胴縁６Ｂは、外壁材７の略中央部に配置されている。ここで、これら横胴縁６Ａ、６Ｂを区別する必要がない場合には単に横胴縁６と記載する。また、本実施形態では、横胴縁６は、図示を省略したが、左右に隣接される横胴縁６、６間に所定間隔（例えば３０ｍｍ）の通気用隙間を設けるように配置されており、この通気用隙間にて空気層３１が連通するようになっている。
【００１９】
本実施形態では、外壁材７は留付部材８を介して、横胴縁６に固定されて構成としているが、この外壁材を横胴縁に釘打ちにて固定する場合には、これら外壁材と横胴縁との間にスペーサを配置して、上記雨水等が流れる隙間を形成する構成とすることが望ましい。また、上記実施形態では、横胴縁６の長さＬ、高さＴ、厚さＤを例示しているが、これらは例示にすぎず適宜変更した横胴縁を形成することも可能である。例えば、横胴縁の高さＴは、この横胴縁に取り付けられる部材に応じて、３０ｍｍから９０ｍｍの範囲で適宜変更が可能である。また、横胴縁の厚さＤは、１２ｍｍから３５ｍｍの範囲で適宜変更が可能であり、これら高さＴ及び厚さＤを自由に組み合わせて様々なバリエーションの横胴縁を作成しても良い。
【００２０】
空気層３１に浸入した雨水等Ｍは、図５に示すように、防水シート５または外壁材７の内面を伝わって、この空気層３１を下方に流れる。そして、この雨水等Ｍは、横胴縁６の位置まで流れると、この横胴縁６の上面６Ａに至る。この場合、横胴縁６は、この横胴縁６の上面６１全域が躯体１０側から外壁材７側に向けて下り勾配で一様に傾斜しているため、この上面６１に至った雨水等は当該上面６１に滞留することなく、矢印Ｋに示すように、横胴縁６と外壁材７との隙間３２を通じて下方に流れていく。そして、この雨水等は、各横胴縁６を通過したのち、中間水切１４（図１）もしくは土台水切１３を介して外壁の外部に排出される。
【００２１】
本実施形態では、躯体１０に掛け渡された横胴縁６に外壁材７を固定し、この横胴縁６の上面６１全域が躯体１０側から外壁材７側に向けて下り勾配で一様に傾斜しているため、これら躯体１０と外壁材７との間に形成される空気層３１に雨水等が浸入した場合であっても、この雨水等が横胴縁６の傾斜した上面６１を流れ落ちることにより、当該雨水等がこの上面６１上に長時間滞留することが防止され、雨水等が外壁５０の外部に速やかに排出可能となる。これによれば、横胴縁６が長時間に亘り水に晒されることがなくなるため、当該横胴縁６が腐食したり、ひび割れしたりする不具合を防止できるとともに、空気層３１内に湿気がこもることが防止される。
【００２２】
図６乃至図８は別の実施形態の壁構造を示す。この外壁（壁構造）７０は、上記実施形態にかかる外壁５０と比較して、断熱材２５が躯体１０の室外側に配置される外張り断熱構造である点が異なる。断熱材２５は、例えば発砲スチロール製の板体であり、図７に示すように、この断熱材２５の横幅Ｗは、柱３、３の中心距離と略同一に設定されている。また、断熱材２５は、図６及び図８に示すように、土台２の室外側側面に配置された補助桟２６の上に配置され、横胴縁６を躯体１０に釘打ちする際に、防水シート５とともに躯体１０に固定される。この他の構成は、上記実施形態で説明したものと同一の構成であるため、同一の符号を付して説明を省略する。この実施形態では、このような構成を有する外壁７０に上記横胴縁６が配置されている。
【００２３】
この実施形態では、躯体１０に掛け渡された横胴縁６に外壁材７を固定し、この横胴縁６の上面６１全域が躯体１０側から外壁材７側に向けて下り勾配で一様に傾斜しているため、これら躯体１０と外壁材７との間に形成される空気層３１に雨水等が浸入した場合であっても、この雨水等が横胴縁６の傾斜した上面６１を流れ落ちることにより、当該雨水等がこの上面６１上に長時間滞留することが防止され、雨水等が外壁７０の外部に速やかに排出可能となる。
【００２４】
これによれば、横胴縁６が長時間に亘り水に晒されることがなくなるため、当該横胴縁６が腐食したり、ひび割れしたりする不具合を防止できる。さらに、雨水等が外壁７０の外部に速やかに排出可能となるため、空気層３１内に湿気がこもることが防止され、外壁７０のように、断熱材２５が躯体１０の外側に配置される外張り断熱構造であっても、断熱材２５が湿気に晒されることが防止される。
【００２５】
図９及び図１０は、別の実施形態の壁構造を示す。外壁（壁構造）８０は、図９に示すように、躯体１０に形成された窓開口部５１を備え、この窓開口部５１は、柱３と間柱４と鴨居（上辺部）５２と窓台（下辺部）５３とで矩形に形成されている。この窓開口部５１には窓体５６が室外側から配置され、この窓体５６は、上枠５４ａ、下枠５４ｂ及びこれら上枠５４ａと下枠５４ｂとを接続する縦枠５４ｃ、５４ｄ（図１０）を有する枠体５４と、この枠体５４に嵌め込まれる窓材５５とを備えて構成されている。
【００２６】
この実施形態では、このような構成を有する外壁８０に上記横胴縁６が配置されている。窓体５６の周囲には、図１０に示すように、上部横胴縁６、下部横胴縁８２及び縦胴縁８３、８４が配置され、これら各胴縁は躯体１０に固定されている。具体的には、上部横胴縁６は、図９に示すように、防水シート５を介して鴨居５２に掛け渡され、下部横胴縁８２は、防水シートを介して窓台５３に掛け渡されている。そして、これら上部横胴縁６、下部横胴縁８２には、スペーサ８５を介して外壁材７が固定されている。この構成では、スペーサ８５によって、上部横胴縁６と外壁材７との間に所定の間隔Ｒ（例えば５ｍｍ）の隙間３３が設けられており、この隙間３３は、上記隙間３２と同様に、空気層３１内に浸入した雨水等が流れる通路として機能する。この実施形態において、上記実施形態と同一の構成のものは同一の符号を付して説明を省略する。
【００２７】
この実施形態によれば、躯体１０に形成された窓開口部５１の上辺部５２及び下辺部５３にそれぞれ横胴縁６、８２を設け、これら横胴縁６、８２に外壁材７を固定し、上記窓開口部５１の上辺部５２に設けられた横胴縁６は、この横胴縁６の上面６１全域が躯体１０側から外壁材７側に向けて下り勾配で一様に傾斜しているため、これら躯体１０と外壁材７との間に形成される空気層３１に雨水等が浸入した場合であっても、この雨水等が上部横胴縁６の傾斜した上面６１を流れ落ちることにより、当該雨水等がこの上面６１上に長時間滞留することが防止され、雨水等が外壁８０の外部に速やかに排出可能となる。
【００２８】
これによれば、上部横胴縁６が長時間に亘り水に晒されることがなくなるため、当該横胴縁６が腐食したり、ひび割れしたりする不具合を防止できるとともに、空気層３１内に湿気がこもることが防止される。なお、この実施形態では、窓開口部５１に取り付けられる窓体は嵌め殺し窓であったが、これに限るものではなく、引き違い窓や回転窓に適用しても良い。
【００２９】
上述した実施形態は、あくまでも本発明の一態様にすぎず、本発明の範囲内で任意に変形可能である。例えば、上記実施形態では、横胴縁６の正面部６２は平面状に形成されていたが、これに限るものではなく、図１１に示すように、横胴縁３６の正面部３７に凹部３８を形成する構成としても良い。
【００３０】
この凹部３８は、横胴縁３６の側端部３９から所定距離だけ内側の位置に形成され、当該凹部３８と外壁材とで囲まれた部分が、上記横胴縁３６の上下に形成される空気層を連通する連通路となっている。これによれば、従来のように、左右に隣接する横胴縁３６、３６の間に通気用隙間を形成する必要がなくなり、当該横胴縁３６の取り付け作業が容易となる。この場合、横胴縁３６の上面４０の全域が、当該横胴縁３６の背面部４１側から正面部３７側に向けて下り勾配で一様に傾斜するように形成されている点については、上記横胴縁６と同一であるので、この点に関する説明は省略する。また、上記実施形態では、横胴縁６は木製であったが、十分な強度を有していれば、例えばプラスチックもしくは金属で形成しても構わない。
【図面の簡単な説明】
【００３１】
【図１】本実施形態にかかる建物の壁構造の縦断面図である。
【図２】壁構造の横断面図である。
【図３】壁構造を示す斜視図である。
【図４】Ａは横胴縁を示す斜視図であり、Ｂは横胴縁の側面図である。
【図５】空気層内に浸入した雨水等の流れを説明するための図である。
【図６】別の実施形態にかかる建物の壁構造の縦断面図である。
【図７】壁構造の横断面図である。
【図８】壁構造を示す斜視図である。
【図９】別の実施形態にかかる建物の壁構造の縦断面図である。
【図１０】窓体の周囲に配置される胴縁の状態を示す斜視図である。
【図１１】別の実施形態にかかる横胴縁を示す斜視図である。
【符号の説明】
【００３２】
３  柱
４  間柱
６  横胴縁
６１  上面
６２  正面
６３  背面
７  外壁材
１０  躯体
３８  凹部
５０、７０、８０  外壁（壁構造）
５１  窓開口部（開口部）
５２  鴨居（上辺部）
５３  窓台（下辺部）
【図１】
2007085033.tif 000003
【図２】
2007085033.tif 000004
【図３】
2007085033.tif 000005
【図４】
2007085033.tif 000006
【図５】
2007085033.tif 000007
【図６】
2007085033.tif 000008
【図７】
2007085033.tif 000009
【図８】
2007085033.tif 000010
【図９】
2007085033.tif 000011
【図１０】
2007085033.tif 000012
【図１１】
2007085033.tif 000013